(57)【要約】      （修正有）【課題】アラーム機能で多様に発声できる玩具模型機関車を提供する。【解決手段】レール上の玩具模型機関車でモーターにより稼動される動力輪のみもとの場所で空回りにして回転（前進）又は逆回転（後進）されるようにする模型機関車をアラーム及び時計を調整する時計調整部と、前・後進及び速度を調整するモーター駆動部、そして汽笛音、鐘の音、機関車の作動音を調整する機関車の音部を相互連結させた主制御部として、アラーム時計になったら模型機関車が作動しながら後方の石炭貨車の内部のサウンド・チップとスピーカーで機関車の音が発声されるように調整させて、模型機関車の後部には各種動物の音又は人の笑い音等のサウンド・チップとスピーカーを内蔵したｓｏｕｎｄ１、２貨車と、ｓｏｕｎｄ３、４貨車のうちより選択し連結させて主制御部の制御により選別的に又は副制御部の制御で順序に多様に発声するようにアラーム機能で発声できる玩具模型機関車。【選択図】図２
2008018237.tif 000002
【特許請求の範囲】
【請求項１】
下敷台（1）上端のレール上に載せておいた玩具模型機関車において、モーターにより稼動される先方のボイラー車（１０）の下部のピストンロッドに連結された動力輪のみレールから間隙を置き、もとの場所で空回りにして回転（前進）又は逆回転（後進）されるようにし、機関車の作動音と汽笛音及び鐘の音が発声されるようになる模型機関車をアラーム及び時計を調整する時計調整部と前・後進及び速度を調整するモーター駆動部、そして汽笛音、鐘の音、機関車の作動音を調整する機関車の音部を相互連結させる主制御部の制御回路としてアラームの時間になったら模型機関車が作動しながらサウンド・チップによりスピーカーで機関車の音が発声されるように調整させてなるアラーム機能で様々に発声できる玩具模型機関車。
【請求項２】
汽笛音、鐘の音、機関車の作動音等のサウンド・チップ及びスピーカーを模型機関車の後方の石炭貨車（１１）の内部に設置させてなるアラーム機能で様々に発声できることを特徴とする第１項に記載の玩具模型機関車。
【請求項３】
模型機関車の後部に各種動物の音又は人の笑い声等のサウンド・チップ及びスピーカーを内蔵したサウンド１、２貨車と、サウンド３、４貨車のうちより選択し連結させ、Ｓ１、Ｓ２、Ｓ３、Ｓ４を調整して主制御部の制御により選別的に発声するようにしてなるアラーム機能で様々に発声できることを特徴とする第１項に記載の玩具模型機関車。
【請求項４】
各種動物の音又は人の笑い声等のサウンド・チップ及びスピーカーを内蔵したサウンド１、２貨車と、サウンド３、４貨車のうちより選択し連結させ、主制御部の指示で副制御部の制御により順に発声されるようになるアラーム機能で様々に発声できることを特徴とする第３項に記載の玩具模型機関車。
【発明の詳細な説明】
【技術分野】
【０００１】
本発明は玩具模型機関車、特にはアラーム機能を設置してアラーム時間になったら模型機関車が作動しながら機関車の作動音と汽笛音及び鐘の音が発声させ、模型機関車の後部に貨車及び客車を連結させて各種動物の音及び人の笑い声等もアラーム機能で様々に発声できる玩具模型機関車に関するものである。
【背景技術】
【０００２】
従来のアラーム機能は、主に卓上時計において目覚し時計が鳴るようにするとか、又は特定物体にこれと関連があるサウンド・チップを用いて特定物体の作動と共に発声するようにするだけで、非常に単調であって噂好及び趣向がそれぞれ相違する人々の興味をひくことができなかった。
また、従来より玩具模型機関車は多く市販されており、その部品の改造等も屡々おこなわれている（例えば、特許文献１参照）。しかしながら、アラーム機能による各種の発声を備えた玩具模型機関車については、未だその例を見ない。
【特許文献１】特開平９−１４０９４６号公報
【発明の開示】
【発明が解決しようとする課題】
【０００３】
本発明は上記に鑑み、アラーム機能を設置してアラーム時間になったら模型機関車が作動しながら機関車の作動音と汽笛音及び鐘の音を発声させ、模型機関車の後部に貨車及び客車を連結させて各種動物の音及び人の笑い声等もアラーム機能で様々に発声できる玩具模型機関車を提供するところに、その目的を有する。
【課題を解決するための手段】
【０００４】
本発明の、玩具模型機関車は、
１）下敷台（１）上端のレール上に載せておいた玩具模型機関車において、モーターにより稼動される先方のボイラー車（１０）の下部のピストンロッドに連結された動力輪のみをレールから若干間隔を置き、もとの場所で空回りにして回転（前進）又は逆回転（後進）されるようにし、機関車の作動音と汽笛音及び鐘の音が発声されるようにしてなる模型機関車を、アラーム及び時計を調整する時計調整部と前・後進及び速度を調整するモーター駆動部、そして汽笛音、鐘の音、機関車の作動音を調整する機関車の音部を、相互連結させた主制御部の回路図としてアラームの時間になったら、模型機関車が作動しながらサウンド・チップによりスピーカーで機関車の音が発声されるように調整させてなるアラーム機能で様々に発声できるものである。
２）また、上述の１）において、汽笛音、鐘の音、機関車の作動音等のサウンド・チップ及びスピーカーを模型機聞手の後方の石炭貨車（１１）の内部に設置させてなるアラーム機能で様々に発声できることを特徴とするものであり、
３）上述の１）において、模型機聞手の後部に、各種動物の音又は人の笑い声等のサウンド・チップ及びスピーカーを内蔵したサウンド（ｓｏｕｎｄ）１、２貨車と、サウンド（ｓｏｕｎｄ）３、４貨車のうちより選択し連結させ、Ｓ１、Ｓ２、Ｓ３、Ｓ４を調整して主制御部の制御により選別的に発声するようになるアラーム機能で様々に発声できることを特徴とするものであり、
４）上述の３）において、各種動物の音又は人の笑い声等のサウンド・チップ及びスピーカーを内蔵したサウンド（ｓｏｕｎｄ）１、２貨車と、サウンド（ｓｏｕｎｄ）３、４貨車のうちより選択し連結させ、主制御部の指示で副制御部の制御により順に発声されるようにされたアラーム機能で様々に発声できることを特徴とするものである。
【０００５】
すなわち、下敷台上端のレール上の玩具模型機関車でモーターにより稼動される先方のボイラー車の下部のピストンロッドに連結された動力輪のみレールから若干間隙を置き、もとの場所で空回りにして回転（前進）又は逆回転（後進）されるようにした模型機関車を、アラームセットでアラーム及び時計を調整する時計調整部と、前・後進及び速度を調整するモーター駆動部、そして汽笛音、鐘の音、機関車の作動音を調整する機関車の音部を相互連結させた主制御部の回路図として、アラーム時間になったら模型機関車が作動しながら後方の炭素手の内部のサウンド・チップとスピーカーで機関車の音が発声されるように調整させて、模型機関車の後部には各種動物の音又は人の笑い声等のサウンド・チップとスピーカーを内蔵したサウンド（ｓｏｕｎｄ）１、２貨車とサウンド（ｓｏｕｎｄ）３、４貨車のうちより選択し連結させて、主制御部の制御により選別的又は副制御部の制御で順に多様に発声するようにしたものである。
【発明の効果】
【０００６】
本発明は、時計調整部のアラームセットとして必要とするアラーム時間を、ＡＬＡＲＭ、ＳＡＶＥ、ＨＯＵＲ、ＭＩＮ．で調整すると共に、所望の前・後進の作動と速度に合わせてモーター駆動部のＦＦ、ＲＥＶ、ＳＰＥＥＤ調整具と、所望の発声に合わせて機関車の音部の汽笛音（ＨＯＲＮ）、鐘の音（ＢＥＬＬ）と調整し、調整後、主制御部の時計及びアラーム機能の回路に合わせた時間になったら、モーター駆動部によって正回転（前進）又は逆回転（後進）で回転速度に合わせて模型機関車が作動しながら、機関車の音部によって機関車の作動音と汽笛音、鐘の音が発声されるものであり、
そして、模型機関車の後部に所望の動物の音及び人の笑い音等のサウンド・チップ及びスピーカーを内蔵したサウンド（ｓｏｕｎｄ）１、２貨車、サウンド（ｓｏｕｎｄ）３、４貨車、サウンド（ｓｏｕｎｄ）５、６貨車、サウンド（ｓｏｕｎｄ）７、８客車のうちより所望のものを選択して模型機関車の後部に連結させれば、主制御部の指示で副制御部の指示によってサウンド１、サウンド２、サウンド３、サウンド４ が順に発声されるようにするとか、又は、Ｓ１、Ｓ２、Ｓ３、Ｓ４を調整してサウンド（ｓｏｕｎｄ）１〜４を選別的に発声されるようにして、模型機聞車の作動音のみならず各種の音を多様に選択して発声させることができる玩具模型機関車を提供することができる。
【発明を実施するための最良の形態】
【０００７】
［実施の形態１］
図１は、本発明を構成して実施した模型正面図である。
図２は、本発明の全体的な作動進行の状態を見せた進行図表である。
図３ａは、本実施の形態における回路図であって、時計及びアラーム機能の回路図と音機能の回路図がある主制御部の回路図、図3ｂは、機関車の前・後進と速度を調整する速度調節機能の回路図、図3ｃは、主制御部の指示で副制御部がサウンド（ｓｏｕｎｄ）１、サウンド（ｓｏｕｎｄ）２、サウンド（ｓｏｕｎｄ）３、サウンド（ｓｏｕｎｄ）４、を順に発声するようにする機能回路図である。
【０００８】
すなわち、図1において、下敷台（１）上端のレールに玩具模型機関車と２台の貨車が連結されるように載せておいた模型正面図として、下敷台（１）中間の左側上部にデジタル時計と、その下部にアラームを調整するアラームセットのＡＬＡＲＭ、ＳＡＶＥ、ＨＯＵＲ、ＭＩＮ．ボタンがあって、中間上部にＦＦ、ＲＥＶ、Ｓｌ（ＳＯＵＮＤ１）、Ｓ２（ＳＯＵＮＤ２）のボタンが、またその下部にはＨＯＲＮ、ＢＥＬＬ、Ｓ３（ＳＯＵＮＤ３）、Ｓ４（ＳＯＵＮＤ４）のボタンがあって、さらにその右側には模型機関車の速度を調整するＳＰＥＥＤ調整具と、上ＴＲＡＩＮ、中ＣＬＯＣＫ、下ＴＩＭＥＲで上、中、下にして調整できる調整レバーが敷設されている。
図２は、本発明の全体的な作動進行状態の過程を見せた進行図表であり、また、図３ａは主制御部の回路図で、ＡＳＩＣ ＣＨＩＰを用いたものであり左側回路は、時計及びアラーム機能の回路図であり、右側上部の回路は、機関車の音部の回路図でＳＯＵＮＤ ＣＨＩＰ  ４ＭＢを用いたもので、前・後進の機関車の作動音、汽笛音、鐘の音を調整する機能の回路図として汽車レールに接続されている。
図３ｂは、機関車の前．後進と速度を調整するモーター駆動部をＭＯＴＯＲＤＲＩＶＥ ＣＨＩ Ｐで用いた速度調節機能の回路図であって、図３ｃは、主制御部の指示で副制御部がＳＯＵＮＤｌ、ＳＯＵＮＤ２、ＳＯＵＮＤ３、ＳＯＵＮＤ４を順に発声するようにする機能の回路図である。
【０００９】
下敷台（１）上端のレール上に載せた玩具模型機関車において、モーターによって稼動される先方のボイラー車（１０）の下部のピストンロッドに連結された動力輪のみレールから若干間隙を置き、もとの場所で空回りにして回転（前進）又は逆回転（後進）されるようにして、機関車の作動音と汽笛音及び鐘の音が発声されるようになる模型機関車をＡＬＡＲＭ、ＳＡＶＥ、ＨＯＵＲ、ＭＩＮ．でアラーム及び時計を調整する時計調整部（ＣＯＮＴＲＯＬＬＥＲ）と、ＦＦ、ＲＥＶ、ＳＰＥＥＤで各前・後進及び速度を調整するモーター駆動部（ＭＯＴＯＲ ＤＲＩＶＥ）、そして汽笛音（ＨＯＲＮ）、鐘の音（ＢＥＬＬ）、機関車の作動音を調整する機関車の音部（ＴＲＡＩＮ ＳＯＵＮＤ）を相互に連結させた主制御部の回路図として、アラーム時間になったら模型機関車が作動しながら後方の石炭貨車（１１）の内部のサウンド・チップによりスピーカーで機関車の音が発声されるように調整させ、模型機関車の後部には、各種動物の音又は人の笑い音等のサウンド・チップ（ＳＯＵＮＤ ＣＨＩＰ）及びスピーカーを内蔵したｓｏｕｎｄ１、２貨車とｓｏｕｎｄ３、４貨車、ｓｏｕｎｄ５、６貨車、ｓｏｕｎｄ７、８客車のうちから選択し、連結させてＳ１、Ｓ２、Ｓ３、Ｓ４を調整して主制御部の制御により選別的に、又は副制御部の制御で順序に発声するようにしたものである。
【図面の簡単な説明】
【００１０】
【図１】本発明を構成して実施した模型正面図。
【図２】本発明の全体的な作動進行の状態を見せた進行図表。
【図３ａ】本発明の時計及びアラーム機能の回路図と音機能の回路図がある主制御部の回路図。
【図３ｂ】本発明の機関車の前・後進と速度を調整する速度調節機能の回路図。
【図３ｃ】本発明の主制御部の指示で副制御部がサウンド（ｓｏｕｎｄ）ｌ、サウンド（ｓｏｕｎｄ）２、サウンド（ｓｏｕｎｄ）３、サウンド（ｓｏｕｎｄ）４、を順に発声するようにする機能回路図。
【符号の説明】
【００１１】
１  下敷台
１０  先方のボイラー車
１１  後方の石炭貨車
【図１】
2008018237.tif 000003
【図２】
2008018237.tif 000004
【図３ａ】
2008018237.tif 000005
【図３ｂ】
2008018237.tif 000006
【図３ｃ】
2008018237.tif 000007